【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
資産の利用可能性を予測する方法であって、
複数の資産の各資産上のタグを提供するステップと、
各タグから信号を発するステップと、
前記複数の資産の内の資産が、複数の場所の内の場所にいつ到着するかを第１アンテナで検知するステップであって、前記資産を検知することは、前記複数の場所の各場所の建造物の壁に対して垂直な仮想ラインに対して、２５度から３５度の範囲内の第１角度で配置された前記第１アンテナで、前記タグの信号を読み取ることによって得られるステップと、
データベースを、前記資産と前記場所とに関連付けられた到来時間で更新するステップと、
前記資産が前記場所をいつ出発するかを前記第１アンテナで検知するステップと、
前記データベースを、前記資産と前記場所とに関連付けられた出発時間で更新するステップと、
前記到来時間と前記出発時間とを比較することによって、前記場所での前記資産の滞留時間を算出するステップと、
前記データベースを、前記資産と前記場所とに関連付けられた前記滞留時間で更新するステップと、
前記データベースに保持された前記到来時間と前記出発時間とに基づいて、前記資産の利用可能性を予測するステップであって、前記利用可能性を予測することは、前記複数の資産の内の前記資産に関連付けられた前記滞留時間に基づいて、前記場所で利用可能な、前記複数の資産の内の資産の予測量を予測することと、前記資産の予測量が十分であるか否かを決定するために、資産の要求量と前記資産の予測量とを比較することとによって得られるステップと、
前記資産の予測された利用可能性に基づいて、将来の資産の不足に適合するステップとを含む方法。
【請求項２】
前記複数の場所の各場所に、少なくとも１つの滞留時間を決定し、関連付けるために、前記検知し、算出するステップを繰り返すステップをさらに含む請求項１記載の方法。
【請求項３】
前記複数の資産の各資産に、少なくとも１つの滞留時間を決定し、関連付けるために、前記検知し、算出するステップを繰り返すステップをさらに含む請求項１記載の方法。
【請求項４】
前記複数の場所のすべての場所に関して、前記複数の資産の資産毎の滞留時間を決定し、関連付けるために、前記検知し、算出するステップを繰り返すステップをさらに含む請求項１記載の方法。
【請求項５】
前記複数の資産の資産毎の現在の場所を決定するために、前記到来時間を使用するステップをさらに含む請求項４記載の方法。
【請求項６】
前記複数の資産で使用するための資産要求スケジュールを構築するステップと、
前記資産要求スケジュール内で、複数の時間の増分の内の各々の連続する時間の増分の間に、前記複数の場所の各場所で要求される、前記複数の資産の内の資産の量を指定するステップとをさらに含む請求項５記載の方法。
【請求項７】
前記複数の資産で使用するための資産経路スケジュールを構築するステップと、
前記資産経路スケジュール内で、前記複数の資産の各資産に関する、前記複数の場所の内の場所のシリーズを指定するステップと、
前記シリーズ内で、前記複数の場所の場所間での、前記関連付けられた資産の要求される物理的な移動を表すステップとをさらに含む請求項６記載の方法。
【請求項８】
前記資産要求スケジュール内の各々の時間の増分の間の、前記複数の資産の各資産の予測される場所を表現するモデルを構築するために、前記複数の場所の各場所の前記滞留時間と、前記複数の資産の各資産の前記現在の場所と、前記資産経路スケジュールとを比較するステップをさらに含む請求項７記載の方法。
【請求項９】
前記モデルを前記資産要求スケジュールと比較するステップと、
前記複数の場所の各場所での前記複数の資産の各資産の前記モデル化された分配が、前記複数の時間の増分の内の各時間の増分の間の、前記資産要求スケジュール内で指定された量未満であるか否かを判定するステップとをさらに含む請求項８記載の方法。
【請求項１０】
前記複数の場所の各場所での前記複数の資産の各資産の前記モデル化された分配が、前記複数の時間の増分の内のいずれか１つの時間の増分の間の、前記資産要求スケジュール内で指定された量未満である場合、警告を送信するステップをさらに含む請求項９記載の方法。
【請求項１１】
前記複数の場所の各場所での前記複数の資産の各資産の前記モデル化された分配が、前記複数の時間の増分の内のいずれか１つの時間の増分の間の、前記資産要求スケジュール内で指定された量未満である場合、追加の資産の取得を開始するステップをさらに含む請求項９記載の方法。
【請求項１２】
前記複数の場所の各場所での前記複数の資産の各資産の前記モデル化された分配が、前記複数の時間の増分の内のいずれか１つの時間の増分の間の、前記資産要求スケジュール内で指定された量未満である場合、ユーザーへの電子メールを形成し、送信するステップをさらに含む請求項９記載の方法。
【請求項１３】
前記複数の時間の増分の各時間の増分の間の、前記複数の場所の各場所での前記資産要求スケジュール内で指定された量と、前記複数の時間の増分の各時間の増分の間の、前記複数の場所の各場所での前記複数の資産の各資産の前記モデル化された分配とが並べられた、前記複数の時間の増分の各時間の増分を示すリポートを生成するステップをさらに含む請求項９記載の方法。
【請求項１４】
期間を選択するステップと、
前記複数の場所の内の選択された場所を選択するステップと、
データベースを用いて、前記選択された場所での前記期間内の減少率を算出するステップとをさらに含み、前記減少率は、前記期間内に前記選択された場所に到着する前記複数の資産の割合である請求項４記載の方法。
【請求項１５】
前記減少率と、前記期間と、前記選択された場所とを示すリポートを生成するステップをさらに含む請求項１４記載の方法。
【請求項１６】
前記複数の場所の各場所で、前記建造物の壁に対して垂直な前記仮想ラインに対して、１５度から２５度の範囲内の第２角度で配置された第２アンテナで前記タグを読み取るステップと、
第１時間と第２時間とを比較することによって、前記検知されたタグに関連付けられた資産が、前記複数の場所の内の特定の場所で、到着しているか、又は出発しているかを判定するステップとをさらに含み、前記検知されたタグによって発せられる前記信号は、前記第１アンテナで前記第１時間に最も強く、前記検知されたタグによって発せられる前記信号は、前記第２アンテナで前記第２時間に最も強い請求項１記載の方法。
【請求項１７】
前記第１アンテナで前記タグを受動的に読み取るステップと、
前記第２アンテナで前記タグを受動的に読みとるステップとをさらに含む請求項１６記載の方法。
【請求項１８】
無線周波数識別信号として前記信号を発するステップと、
無線周波数識別アンテナとして前記第１アンテナを形成するステップと、
無線周波数識別アンテナとして前記第２アンテナを形成するステップとをさらに含む請求項１７記載の方法。
【請求項１９】
前記資産は、再利用可能な輸送コンテナである請求項１記載の方法。
【手続補正２】
【補正対象書類名】明細書
【補正対象項目名】００６６
【補正方法】変更
【補正の内容】
【００６６】
本発明は、様々な図の好ましい実施形態に関して記述されているが、そこから逸脱することなく、本発明の同一の機能を実行するために、他の類似の実施形態が使用されてもよく、また記述された実施形態に変形及び追加がなされてもよいことは理解されるであろう。したがって、本発明は、いずれかの単一の実施形態に限定されるべきではなく、むしろ、付記されたクレームの列挙に従う広さと範囲内で解釈されるべきである。
以下に、本願出願の当初の特許請求の範囲に記載された発明を付記する。
［１］在庫を追跡する方法であって、
建造物の開口部に近接する第１アンテナを提供するステップと、
前記開口部に近接する第２アンテナを提供するステップと、
アイテムから信号を発するステップと、
前記第１アンテナを通り過ぎて前記アイテムを移動し、前記第１アンテナを通り過ぎて前記アイテムが移動するとき、前記信号の第１信号強度を測定するステップと、
前記第１信号強度がピークに達する第１時間を決定するステップと、
前記第２アンテナを通り過ぎて前記アイテムを移動し、前記第２アンテナを通り過ぎて前記アイテムが移動するとき、前記信号の第２信号強度を測定するステップと、
前記第２信号強度がピークに達する第２時間を決定するステップと、
第１アンテナ及び第２アンテナを通り過ぎて移動されたアイテムの実際の方向を決定するために、前記第１時間と前記第２時間とを比較するステップと、
在庫追跡システムに前記実際の方向を供給するステップとを含む方法。
［２］前記在庫追跡システムに前記実際の方向が供給された後、前記第１アンテナ及び前記第２アンテナの内の一方が前記アイテムから前記信号を受信したときに、アラームを鳴らすステップをさらに含む［１］記載の方法。
［３］前記第１アンテナ及び第２アンテナは、指向性アンテナである［１］記載の方法。
［４］前記第１アンテナの第１放射パターンを、前記第２アンテナの第２放射パターンと一部重複させるステップをさらに含む［３］記載の方法。
［５］前記第１放射パターンを前記開口部に対して向けるステップと、
前記第２放射パターンを前記開口部から遠ざけて向けるステップとをさらに含む［４］記載の方法。
［６］前記建造物の壁によって前記開口部を規定するステップと、
前記壁と平行な仮想平面を規定するステップと、
前記仮想平面に直交する、仮想開口部ラインを規定するステップと、
前記第１アンテナを通って縦に伸びる第１仮想ラインを規定するステップと、
前記第１アンテナを、前記第１仮想ラインが前記仮想開口部ラインから２５から３５度の間の角度であるように向けるステップとをさらに含む［１］記載の方法。
［７］前記第２アンテナを通って縦に伸びる第２仮想ラインを規定するステップと、
前記第２アンテナを、前記第２仮想ラインが前記仮想開口部ラインから１５から２５度の間の角度であるように向けるステップとをさらに含む［６］記載の方法。
［８］前記アイテムを、前記在庫追跡システムのデータベース内のレコードに関連付けるステップをさらに含む［１］記載の方法。
［９］前記第１時間を前記レコードに関連付けるステップと、
前記第２時間を前記レコードに関連付けるステップとをさらに含む［８］記載の方法。
［１０］予測された方向を前記レコードに関連付けるステップと、
前記予測された方向を前記実際の方向と比較するステップと、
前記予測された方向が前記実際の方向と異なるとき、アラームを鳴らすステップとをさらに含む［９］記載の方法。
［１１］在庫を追跡する方法であって、
第１アンテナの第１放射パターンを、第２アンテナの第２放射パターンと一部重複させるステップと、
アイテムが前記第１放射パターンを通っていつ移動するかを決定し、当該結果を第１時間として格納するステップと、
前記アイテムが前記第２放射パターンを通っていつ移動するかを決定し、当該結果を第２時間として格納するステップと、
前記第１時間と前記第２時間とを比較することによって、前記アイテムが進んでいる方向を決定するステップとを含む方法。
［１２］前記アイテムが予測された方向に進むことを予測するステップと、
前記アイテムが進んでいる方向が前記予測された方向であるか否かを決定するステップと、
前記アイテムが進んでいる方向が前記予測された方向でない場合に、警報システムを作動させるステップとをさらに含む［１１］記載の方法。
［１３］前記予測された方向を表す変数をデータベースのシステムに格納するステップと、
前記アイテムが進んでいる方向を前記データベース内の前記変数と比較することによって、前記方向が前記予測された方向であるか否かを決定するステップとをさらに含む［１２の方法。
［１４］建物内部と建物外部とを規定する建物内に、前記第１アンテナ及び前記第２アンテナを配置するステップと、
前記第１放射パターンを前記建物内部に対して向けるステップと、
前記第２放射パターンを前記建物外部に対して向けるステップとをさらに含む［１３］記載の方法。
［１５］前記アイテムから信号を発するステップと、
前記アイテムが前記第１放射パターンを通っていつ移動するかを決定するために、前記第１アンテナによって前記信号を検知するステップと、
前記アイテムが前記第２放射パターンを通っていつ移動するかを決定するために、前記第２アンテナによって前記信号を検知するステップとをさらに含む［１４］記載の方法。
［１６］前記アイテムが前記第１放射パターンを通って移動するとき、前記信号内に存在するパワーを、前記第１アンテナによって繰り返し測定するステップと、
前記第１時間を、前記アイテムが前記第１放射パターンを通って移動する際に、前記第１アンテナが前記信号内に存在するパワーが最大であると決定したときと同じに設定するステップと、
前記アイテムが前記第２放射パターンを通って移動するとき、前記信号内に存在するパワーを、前記第２アンテナによって繰り返し測定するステップと、
前記第２時間を、前記アイテムが前記第２放射パターンを通って移動する際に、前記第２アンテナが前記信号内に存在するパワーが最大であると決定したときと同じに設定するステップとをさらに含む［１５］記載の方法。
［１７］在庫のアイテムの追跡に適した装置であって、
第１放射パターンを有し、前記アイテムが前記第１放射パターンを通っていつ移動するかを検知するように構成される第１アンテナと、
第２放射パターンを有し、前記アイテムが前記第２放射パターンを通っていつ移動するかを検知するように構成される第２アンテナと、
前記第１アンテナ及び前記第２アンテナと通信するサーバであって、前記アイテムが、前記第１アンテナ及び前記第２アンテナを通り過ぎる実際の方向を決定するサーバと、
前記サーバと通信するデータベースであって、前記アイテムが前記第１アンテナ及び前記第２アンテナを通り過ぎる、予測された方向を含むレコードを含むデータベースと、
前記サーバと通信する警報システムとを具備し、前記サーバが、前記アイテムが前記第１アンテナ及び前記第２アンテナを前記予測された方向に通過しなかったと決定した場合、前記サーバは前記警報システムを作動させる装置。
［１８］前記アイテムによって生成された信号と、
前記第１アンテナ内に配置され、前記アイテムが前記第１放射パターンを通って移動するときに、前記信号内に存在するパワーが最大である第１時間を決定するように構成された第１パワーセンサーモジュールと、
前記第２アンテナ内に配置され、前記アイテムが前記第２放射パターンを通って移動するときに、前記信号内に存在するパワーが最大である第２時間を決定するように構成された第２パワーセンサーモジュールとをさらに具備し、
前記第１アンテナは、前記サーバに前記第１時間を伝達し、
前記第２アンテナは、前記サーバに前記第２時間を伝達し、
前記サーバは、前記実際の方向を決定するために、前記第１時間と前記第２時間とを比較する［１７］記載の装置。
［１９］前記第１アンテナ及び前記第２アンテナは、指向性アンテナである［１８］記載の装置。
［２０］前記第１放射パターンは、前記第２放射パターンに一部重複する［１９］記載の装置。
［２１］資産の利用可能性を予測する方法であって、
複数の資産の内の資産が、複数の場所の内の場所にいつ到着するかを検知するステップと、
データベースを、前記資産と前記場所とに関連付けられた到来時間で更新するステップと、
前記資産が前記場所をいつ出発するかを検知するステップと、
前記データベースを、前記資産と前記場所とに関連付けられた出発時間で更新するステップとを含む方法。
［２２］前記到来時間と前記出発時間とを比較することによって、前記場所での前記資産の滞留時間を算出するステップと、
前記データベースを、前記資産と前記場所とに関連付けられた前記滞留時間で更新するステップとをさらに含む［２１］記載の方法。
［２３］前記複数の場所の各場所に、少なくとも１つの滞留時間を決定し、関連付けるために、前記検知し、算出するステップを繰り返すステップをさらに含む［２２］記載の方法。
［２４］前記複数の資産の各資産に、少なくとも１つの滞留時間を決定し、関連付けるために、前記検知し、算出するステップを繰り返すステップをさらに含む［２２］記載の方法。
［２５］前記複数の場所のすべての場所に関して、前記複数の資産の資産毎の滞留時間を決定し、関連付けるために、前記検知し、算出するステップを繰り返すステップをさらに含む［２２］記載の方法。
［２６］前記複数の資産の資産毎の現在の場所を決定するために、前記到来時間を使用するステップをさらに含む［２５］記載の方法。
［２７］前記複数の資産で使用するための資産要求スケジュールを構築するステップと、
前記資産要求スケジュール内で、複数の時間の増分の内の各々の連続する時間の増分の間に、前記複数の場所の各場所で要求される、前記複数の資産の内の資産の量を指定するステップとをさらに含む［２６］記載の方法。
［２８］前記複数の資産で使用するための資産経路スケジュールを構築するステップと、
前記資産経路スケジュール内で、前記複数の資産の各資産に関する、前記複数の場所の内の場所のシリーズを指定するステップと、
前記シリーズ内で、前記複数の場所の場所間での、前記関連付けられた資産の要求される物理的な移動を表すステップとをさらに含む［２７］記載の方法。
［２９］前記資産要求スケジュール内の各々の時間の増分の間の、前記複数の資産の各資産の予測される場所を表現するモデルを構築するために、前記複数の場所の各場所の前記滞留時間と、前記複数の資産の各資産の前記現在の場所と、前記資産経路スケジュールとを比較するステップをさらに含む［２８］記載の方法。
［３０］前記モデルを前記資産要求スケジュールと比較するステップと、
前記複数の場所の各場所での前記複数の資産の各資産の前記モデル化された分配が、前記複数の時間の増分の内の各時間の増分の間の、前記資産要求スケジュール内で指定された量未満であるか否かを判定するステップとをさらに含む［２９］記載の方法。
［３１］前記複数の場所の各場所での前記複数の資産の各資産の前記モデル化された分配が、前記複数の時間の増分の内のいずれか１つの時間の増分の間の、前記資産要求スケジュール内で指定された量未満である場合、警告を送信するステップをさらに含む［３０］記載の方法。
［３２］前記複数の場所の各場所での前記複数の資産の各資産の前記モデル化された分配が、前記複数の時間の増分の内のいずれか１つの時間の増分の間の、前記資産要求スケジュール内で指定された量未満である場合、追加の資産の取得を開始するステップをさらに含む［３０］記載の方法。
［３３］前記複数の場所の各場所での前記複数の資産の各資産の前記モデル化された分配が、前記複数の時間の増分の内のいずれか１つの時間の増分の間の、前記資産要求スケジュール内で指定された量未満である場合、ユーザーへの電子メールを形成し、送信するステップをさらに含む［３０］記載の方法。
［３４］前記複数の時間の増分の各時間の増分の間の、前記複数の場所の各場所での前記資産要求スケジュール内で指定された量と、前記複数の時間の増分の各時間の増分の間の、前記複数の場所の各場所での前記複数の資産の各資産の前記モデル化された分配とが並べられた、前記複数の時間の増分の各時間の増分を示すリポートを生成するステップをさらに含む［３０］記載の方法。
［３５］期間を選択するステップと、
前記複数の場所の内の選択された場所を選択するステップと、
データベースを用いて、前記選択された場所での前記期間内の減少率を算出するステップとをさらに含み、前記減少率は、前記期間内に前記選択された場所に到着する前記複数の資産の割合である［２５］記載の方法。
［３６］前記減少率と、前記期間と、前記選択された場所とを示すリポートを生成するステップをさらに含む［３５］記載の方法。
［３７］前記複数の資産の各資産上のタグを供給するステップと、
各タグから信号を発するステップと、
前記複数の場所の各場所に配置された第１アンテナで前記タグを読み取るステップとをさらに含む［２２］記載の方法。
［３８］前記複数の場所の各場所に配置された第２アンテナで前記タグを読み取るステップと、
第１時間と第２時間とを比較することによって、前記検知されたタグに関連付けられた資産が、前記複数の場所の内の特定の場所で、到着しているか、又は出発しているかを判定するステップとをさらに含み、前記検知されたタグによって発せられる前記信号は、前記第１アンテナで前記第１時間に最も強く、前記検知されたタグによって発せられる前記信号は、前記第２アンテナで前記第２時間に最も強い［３７］記載の方法。
［３９］前記第１アンテナで前記タグを受動的に読み取るステップと、
前記第２アンテナで前記タグを受動的に読みとるステップとをさらに含む［３８］記載の方法。
［４０］無線周波数識別信号として前記信号を発するステップと、
無線周波数識別アンテナとして前記第１アンテナを形成するステップと、
無線周波数識別アンテナとして前記第２アンテナを形成するステップとをさらに含む［３９］記載の方法。
［４１］資産の利用可能性を保証する方法であって、
技術仕様を使用して、資産プロフィールを有する第１資産を調達するステップと、
前記技術仕様をデータベースに入力するステップと、
前記第１資産の交換が必要であるか否かを判定するステップと、
前記判定するステップが前記第１資産の交換が必要であると判定したとき、前記データベースから前記技術仕様を検索し、前記資産プロフィールを有する第２資産を調達するために前記技術仕様を使用するステップとを含む方法。
［４２］前記第１資産に電子タグを用いるステップと、
複数のアンテナで前記電子タグを検知することによって、前記第１資産を追跡するステップと、
前記複数のアンテナが前記電子タグを検知しなくなったとき、前記第１資産が交換される必要があることを決定するステップとをさらに含む［４１］記載の方法。
［４３］前記データベースに期限を入力するステップと、
前記期限が満了したとき、前記第１資産が交換される必要があることを決定するステップとをさらに含む［４１］記載の方法。
［４４］前記データベースに満了日を入力するステップと、
前記満了日が過ぎたとき、前記第１資産が交換される必要があることを決定するステップとをさらに含む［４１］記載の方法。
［４５］前記第１資産が交換される必要があるか否かを決定するために、前記第１資産を手動で検査するステップをさらに含む［４１］記載の方法。
［４６］前記技術仕様を作成するためにコンピューター支援設計ソフトウェアを使用するステップをさらに含む［４１］記載の方法。
［４７］サードパーティから前記第２資産を調達するステップをさらに含む［４１］記載の方法。
［４８］資産の保有機材に前記第１資産を導入するステップをさらに含み、前記資産の保有機材の内の各資産は前記資産プロフィールに従う［４１］記載の方法。
［４９］前記資産の保有機材が追加の資産を必要としているか否かを判定するステップと、
前記判定するステップが、前記資産の保有機材が追加の資産を必要としていることを決定した場合、前記データベースから前記技術仕様を検索するステップと、
前記追加の資産を調達するために、前記技術仕様を使用するステップとをさらに含む［４８］記載の方法。
［５０］前記第１資産及び前記第２資産の一方の調達を表すインボイスを受信するステップと、
前記インボイスを前記データベースに入力するステップと、
前記データベース内で、前記第１資産及び第２資産の一方に前記インボイスを関連付けるステップとをさらに含む［４１］記載の方法。
［５１］資産の利用可能性を予測する方法であって、
複数の資産を調達するステップであって、前記複数の資産の各資産は資産プロフィールに従い、前記資産プロフィールは技術仕様によって規定されるステップと、
データベースに前記技術仕様を格納するステップと、
前記データベース内で、前記技術仕様を前記複数の資産に関連付けるステップとを含む方法。
［５２］複数の資産の内の資産が複数の場所の内の場所にいつ到着するかを検知するステップと、
前記資産と前記場所とに関連付けられた到来時間で前記データベースを更新するステップと、
前記資産が前記場所をいつ出発するかを検知するステップと、
前記資産と前記場所とに関連付けられた出発時間で前記データベースを更新するステップとをさらに含む［５１］記載の方法。
［５３］前記到来時間と前記出発時間とを比較することによって、前記場所での前記資産の滞留時間を算出するステップと、
前記資産と前記場所とに関連付けられた前記滞留時間で前記データベースを更新するステップとをさらに含む［５２］記載の方法。
［５４］前記複数の場所のすべての場所に関して、前記複数の資産の資産毎の滞留時間を決定し、関連付けるために、前記検知し、算出するステップを繰り返すステップをさらに含む［５３］記載の方法。
［５５］前記複数の資産の資産毎の現在の場所を決定するために前記到来時間を使用するステップをさらに含む［５４］記載の方法。
［５６］前記複数の資産で使用するための資産要求スケジュールを構築するステップと、
複数の時間の増分の内の各々の連続する時間の増分の間に、前記複数の場所の各場所で要求される前記複数の資産の内の資産の量を、前記資産要求スケジュール内で指定するステップとをさらに含む［５５］記載の方法。
［５７］前記複数の資産で使用するための資産経路スケジュールを構築するステップと、
前記複数の資産の各資産に関する、前記複数の場所の内の場所のシリーズを、前記資産経路スケジュール内で指定するステップと、
前記シリーズ内で、前記複数の場所の場所間での、前記関連付けられた資産の要求される物理的な移動を表すステップとをさらに含む［５６］記載の方法。
［５８］前記資産要求スケジュール内の各時間の増分の間の、前記複数の資産の各資産の予測される場所を表現するモデルを構築するために、前記複数の場所の各場所の前記滞留時間と、前記複数の資産の各資産の前記現在の場所と、前記資産経路スケジュールとを比較するステップをさらに含む［５７］記載の方法。
［５９］前記モデルを前記資産要求スケジュールと比較するステップと、
前記複数の場所の各場所での前記複数の資産の各資産の前記モデル化された配分が、前記複数の時間の増分の各時間の増分の間の、前記資産要求スケジュールで指定された量未満であるか否かを判定するステップとをさらに含む［５８］記載の方法。
［６０］前記複数の場所の各場所での前記複数の資産の各資産の前記モデル化された分配が、前記複数の時間の増分の内のいずれか１つの時間の増分の間の、前記資産要求スケジュールで指定された量未満である場合に、調達エンティティに前記技術仕様を提供することによって、追加の資産を調達するステップをさらに含む［５９］記載の方法。